(57)【特許請求の範囲】
【請求項１】
口部外周に雄ねじ部を形成しない、キャップが省略された、第１剤を収納するための閉鎖膜チューブ容器と、
口部外周の雄ねじ部に針付キャップが螺合された、第２剤を収納するための閉鎖膜を有しないボトル容器とから構成され、
前記針付キャップが、天板と、その天板の中央から上方に突出する針体を有し、
前記閉鎖膜チューブ容器が口部を閉鎖し、前記針体を突き刺して開封する閉鎖膜を有し、
使用時に前記針付キャップの針体によりチューブ容器の閉鎖膜を破ることができるセット容器。
【請求項２】
前記針付キャップが、天板の周縁から前記ボトル容器の口部の内周面に沿って上方に延びる内側の周壁と、その内側の周壁の上端から口部の上端面に沿って外向きに延びる連結部と、その連結部の先端から口部の外周に沿って下方に延びると共に、雄ネジ部に螺合する雌ネジ部を内周に形成した外側の周壁とを備え、
前記針体が内側の周壁の内部に収納されており、
前記閉鎖膜が、口部の上端から閉鎖膜を保護するための長さだけ下方に設けられている請求項１記載のセット容器。
【請求項３】
前記針体は、その外周を等分割するように配置された複数のリブにより天板の上面に支持され、
前記天板の針体の下側の部位にはボトル容器の内部に連通する通路が形成され、
前記リブの間から通路を介して第１剤がボトル容器内へ入れられる請求項１記載のセット容器。
【請求項４】
請求項１または２のいずれかに記載のセット容器において、前記第２剤を収納するためのボトル容器に替えて、チューブ容器としたことを特徴とするセット容器。
【請求項５】
前記第１剤が塩基性酸化染料を主成分とする内容物であり、前記第２剤が過酸化水素を主成分とする内容物であることを特徴とする請求項１〜３のいずれかに記載の染毛剤用のセット容器。
【請求項６】
前記第１剤が２液性の接着剤の一方の成分を含む内容物であり、第２剤が他方の成分を含む内容物であることを特徴とする請求項１〜３のいずれかに記載の接着剤用のセット容器。
【請求項７】
口部外周に雄ねじ部を形成しない、キャップが省略された、第１剤を収納するための閉鎖膜チューブ容器の閉鎖膜を、
口部外周の雄ねじ部に針付キャップが螺合された、第２剤を収納するためのボトル容器の前記針付キャップの針体で突き刺して破り、
次いで、前記第２剤が収納された容器内にチューブ容器の第１剤を入れ、それらを混合するセット容器の使用方法。
【発明の詳細な説明】
【０００１】
【発明の属する技術分野】
この発明はセット容器に関し、さらに詳しくはキャップを削減することにより部品点数を少なくすると共に、セット容器の製造工程及び製造コストの削減を図り、資源の有効利用を企図したセット容器およびその使用方法に関する。
【０００２】
【従来の技術】
従来、染毛剤等を収納したチューブ容器、ボトル容器は、通常１剤と２剤とが、各々別のチューブ容器、ボトル容器に収納され、対になってセット容器として販売されている。染毛剤においては、第１剤は塩基性酸化染料が主成分であり、気体及び液体を通さない密閉された金属チューブ容器内に収納されている。又、第２剤は、第１剤の染料を酸化重合させる目的をもった、過酸化水素が主成分である。このような第１剤容器と第２剤容器は、染毛剤の他、接着剤を収納する容器として用いられる。
【０００３】
このような従来のセット容器としては、図８に示すものがある。図８（ａ）は、第１剤を収納する金属チューブ容器５０を示す一部切欠き断面図である。この金属チューブ容器５０は、アルミニウム等の金属材料をインパクト成形することにより製造され、封緘蓋５１ａを有する口部５１、肩部５２及び胴部５３が一体的に形成されている。この金属チューブ容器５０には、第１剤が収納された後、口部５１の雄ねじ部５１ｂには、針体５４ａを有するキャップ５４が螺合され、口部５１が封鎖されている。そして、この金属チューブ容器５０の封緘蓋５１ａを開孔する場合は、このキャップ５４の針体５４ａで突き破ることにより開孔していた。
【０００４】
図８（ｂ）は、第２剤を収納する樹脂ボトル６０である。この樹脂ボトル６０の口部６１の雄ねじ部６１ａには、第２剤が収納された後、樹脂キャップ６２が螺合されて、口部６１が封鎖されている。第２剤は、染毛剤にあっては、過酸化水素を主成分とするもので、ＰＨが２．５〜４．０であり、金属を腐食するので、耐食性がある樹脂ボトル６０を用いている。
【０００５】
【発明が解決しようとする課題】
しかしながら、このような発明にあっては、第１剤を収納した金属チューブ容器５０の口部５１の雄ねじ部５１ｂに螺合されたキャップ５４を外して、このキャップ５４の針体５４ａで、金属チューブ容器５０の封緘蓋５１ａを突き破ることにより第１剤を抽出していた。したがって、従来は第１剤を収納する金属チューブ容器５０の口部５１に螺合するキャップ５４と、第２剤を収納する樹脂ボトル６０の口部６１に螺合するキャップ６２の両方を準備する必要があり、かつ口部５１と口部６１の両方に雄ねじを形成するための、ねじ加工を必要とする欠点があった。しかし、一回ですべての内容物が抽出されて使い捨てにされるセット容器は、製造工程数が少なく、よりコストが削減されたものが要求されていた。
【０００６】
この発明は、このような従来の課題に着目してなされたもので、第１剤を収納するための閉鎖膜チューブ容器のキャップを省くと共に、閉鎖膜チューブ容器のねじ加工工程の削減及びコストの低減を図ったセット容器を提供することを目的とする。
【０００７】
【課題を解決するための手段】
この課題を解決するため、請求項１記載の発明に対応する手段は、口部外周に雄ねじ部を形成しない、キャップが省略された、第１剤を収納するための閉鎖膜チューブ容器と、口部外周の雄ねじ部に針付キャップが螺合された、第２剤を収納するための閉鎖膜を有しないボトル容器とから構成され、前記針付キャップが、天板と、その天板の中央から上方に突出する針体を有し、前記閉鎖膜チューブ容器が口部を閉鎖し、前記針体を突き刺して開封する閉鎖膜を有し、使用時に前記針付キャップの針体によりチューブ容器の閉鎖膜を破ることができることを特徴とするセット容器である。
請求項２記載の発明に対応する手段は、前記針付キャップが、天板の周縁から前記ボトル容器の口部の内周面に沿って上方に延びる内側の周壁と、その内側の周壁の上端から口部の上端面に沿って外向きに延びる連結部と、その連結部の先端から口部の外周に沿って下方に延びると共に、雄ネジ部に螺合する雌ネジ部を内周に形成した外側の周壁とを備え、前記針体が内側の周壁の内部に収納されており、前記閉鎖膜が、口部の上端から閉鎖膜を保護するための長さだけ下方に設けられていることを特徴とするセット容器である。
請求項３記載の発明に対応する手段は、前記針体は、その外周を等分割するように配置された複数のリブにより天板の上面に支持され、前記天板の針体の下側の部位にはボトル容器の内部に連通する通路が形成され、前記リブの間から通路を介して第１剤がボトル容器内へ入れられることを特徴とするセット容器である。
【０００８】
請求項４記載の発明に対応する手段は、第２剤を収納するためのボトル容器に替えて、チューブ容器としたことを特徴とするセット容器である。
【０００９】
請求項５記載の発明に対応する手段は、前記第１剤が塩基性酸化染料を主成分とする内容物であり、前記第２剤が過酸化水素を主成分とする内容物であることを特徴とする染毛剤用のセット容器である。
【００１０】
請求項６記載の発明に対応する手段は、前記第１剤が２液性の接着剤の一方の成分を含む内容物であり、第２剤が他方の成分を含む内容物であることを特徴とする接着剤用のセット容器である。
請求項７記載の発明に対応する手段は、口部外周に雄ねじ部を形成しない、キャップが省略された、第１剤を収納するための閉鎖膜チューブ容器の閉鎖膜を、口部外周の雄ねじ部に針付キャップが螺合された、第２剤を収納するためのボトル容器の前記針付キャップの針体で突き刺して破り、次いで、前記第２剤が収納された容器内にチューブ容器の第１剤を入れ、それらを混合することを特徴とするセット容器の使用方法である。
【００１１】
【発明の実施の形態】
次に、この発明の実施の形態を図面に基づいて説明する。図１は、この発明に係るセット容器の第１実施の形態を示す図面である。１は、アルミニウム等の金属で製造された閉鎖膜チューブ容器である。この閉鎖膜チューブ容器１の内面には、従来公知の内面塗料として、例えばポリアミドイミド樹脂、エポキシポリアミドイミド樹脂、エポキシフェノール樹脂又はエポキシフェノール樹脂に酸化チタン等の顔料を混合したものを、１回又は２回程度塗布してある。そして、内面塗料の膜厚は、８〜２０μｍが適し、これによりピンホールの発生を防止できると共に、内容物が直接閉鎖膜チューブの内面に接触しない効果を有する。この閉鎖膜チューブ容器は、上記金属以外に樹脂チューブ容器であってもよい。
【００１２】
この閉鎖膜チューブ容器１の口部２には、閉鎖膜２ａが形成されている。そして、この発明の特徴は、図１（ａ）に示すように、第１剤を収納するための閉鎖膜チューブ容器１の口部２外周に、雄ねじ部が形成されず、キャップが省かれている点にある。口部２上端から閉鎖膜２ａまでの寸法Ｈは、従来の閉鎖膜チューブ容器より若干長く形成されている。これはキャップを省いたことにより、輸送中等において閉鎖膜２ａの保護を図るためである。
【００１３】
次に、図１（ｂ）は、第２剤を収納するためのボトル容器５である。このボトル容器５の口部６の外周には、雄ねじ部６ａが形成され、この雄ねじ部６ａには、針体７ａが形成されたキャップ７が螺合されている。この第１実施の形態においては、染毛剤が収納される場合は、図１（ａ）に示す閉鎖膜チューブ容器には、第１剤である塩基性酸化染料を主成分とする内容物、又、図１（ｂ）に示すボトル５は、第２剤である過酸化水素を主成分とする内容物が収納される。ボトル５は樹脂又は金属である。
【００１４】
次に、図４はこの発明に係るセット容器の第２実施の形態を示す図面である。１１は、アルミニウム等の金属で製造された閉鎖膜チューブ容器である。この第２実施の形態の特徴は、図４（ｂ）に示すように、第２剤を収納するためのボトル容器１５にある。すなわち、このボトル容器１５の口部１６の雄ねじ部１６ａには、キャップ１７が螺合され、このキャップ１７の天面中央には、針体１７ａが突設されている。このキャップ１７と針体１７ａとは一体成形され、この針体１７ａは、外周を等分割されて形成された複数のリブ１７ｂによって支持されている。そして、この複数のリブ１７ｂ間は、複数の内容物の通路１７ｃが形成され外部と内部とが連通している。さらに、この針体１７ａの外周には、雄ねじ部１９ａを有する立壁１９が形成され、この立壁１９の雄ねじ部１９ａには、ノズルキャップ１８が螺合されている。
【００１５】
図６は、この発明に係るセット容器の第３実施の形態を示す図面である。第３実施の形態の特徴は、図６（ｂ）に示すように第２剤を収納するためのボトル容器に替えて、チューブ容器２５にした点である。このチューブ容器２５は、樹脂チューブ容器又は金属チューブ容器である。染毛剤用の第２剤である過酸化水素を主成分とする内容物を収納する場合は、金属が腐食されるという問題があるので、耐食性を考慮すると、樹脂チューブ容器が好ましい。第３実施の形態においても同様に、図６（ａ）に示す第１剤を収納するための閉鎖膜チューブ容器２１の口部２２の外周には、雄ねじ部が形成されず、キャップが省かれている点に特徴がある。第１〜第３実施の態様において、収納される内容物は染毛剤以外に、使用時に第１剤と第２剤を混合して使用する２液性の接着剤を収納することもできる。２液性の接着剤の場合は、第１剤及び第２剤を収納する容器は、共にチューブ容器が好ましい。なお、図７（ａ）（ｂ）に示すように、第１剤及び第２剤のチューブ容器２１、２５が共に閉鎖膜チューブであってもよい。
【００１６】
次に、この発明の作用について説明する。まず、第１実施及び第３実施の形態において、内容物を混合する場合は、ボトル容器５又はチューブ容器２５の口部６、２６に螺合されているキャップ７、２７を取り外す。次に、図２に示すように、キャップ７、２７の針体７ａ、２７ａを下向きにして、その先端を閉鎖膜チューブ容器１、２１の閉鎖膜２ａ、２２ａに突き刺すことにより、閉鎖膜２ａ、２２ａを破ることができ、第１剤の抽出が可能となる。次に、図３に示すように、閉鎖膜チューブ容器１内の第１剤を残らず第２剤のボトル容器５内に供給して混合する。なお、第２剤の容器がチューブ容器の場合は、別途準備したトレイに、各々第１剤と第２剤を抽出し、トレイの中で混合する。本発明に係るセット容器は、すべて１回で内容物を抽出し尽くして、セット容器は使い捨てにされるものであるから、製造コストが安く、かつ製造工程が省略できるものであることが好ましい。
【００１７】
次に、図４に示す第２実施の形態において、内容物を混合する場合は、ボトル容器１５の口部１６に螺合されているノズルキャップ１８を取り外す。次に、図５に示すように閉鎖膜チューブ１１の閉鎖膜１２ａを下向きにして、キャップ１７の針体１７ａに突き刺して閉鎖膜１２ａを破る。第１剤は、針体１７ａの下側に形成された通路１７ｃから、ボトル容器１５内に供給され２剤と混合する。混合した後、立壁１９の雄ねじ部１９ａにノズルキャップ１８が螺合され、ボトル容器１５を押圧することにより、第１剤と第２剤が混合した内容物を外部に取り出すことができる。
【００１８】
【発明の効果】
以上説明してきたように、この発明によれば閉鎖膜チューブ容器の口部のねじ加工工程を省いたので、製造コストの低減を図ることができる。又キャップを省いたから、部品点数を省くことができ、資源の有効利用を図ることができる。
【図面の簡単な説明】
【図１】この発明に係るセット容器の第１実施の形態を示す一部切欠き断面図。
【図２】この発明に係る第１実施の形態において、閉鎖膜を破っている状態を示す一部切欠き断面図。
【図３】この発明に係る第１実施の形態において、第１剤とボトル容器内の第２剤を混合している状態を示す一部切欠き断面図。
【図４】この発明に係るセット容器の第２実施の形態を示す一部切欠き断面図。
【図５】この発明に係る第２実施の形態において、第１剤とボトル容器内の第２剤を混合している状態を示す一部切欠き断面図。
【図６】この発明に係るセット容器の第３実施の形態を示す一部切欠き断面図。
【図７】この発明に係るセット容器の第３実施の形態の他の実施例を示す一部切欠き断面図。
【図８】従来のセット容器を示す一部切欠き断面図。
【符号の説明】
１  １１  ２１  閉鎖膜チューブ容器
２  １２  ２２  口部
５  １５  ボトル容器
６  １６  ２６  口部
６ａ  １６ａ  ２６ａ  雄ねじ部
７  ２７  針付キャップ
２５  チューブ容器
【図１】
0004796707.tif 000002
【図２】
0004796707.tif 000003
【図３】
0004796707.tif 000004
【図４】
0004796707.tif 000005
【図５】
0004796707.tif 000006
【図６】
0004796707.tif 000007
【図７】
0004796707.tif 000008
【図８】
0004796707.tif 000009